(57)【特許請求の範囲】
【請求項１】
そのまま食べられる塊状食品（Ｆ）の単品を収容し得るシート材製の個食容器であって、
側周壁（２）と底壁（３）とを有し上部に前記塊状食品（Ｆ）の挿入用開口（４）を設けた容器本体（１）を用い、
該容器本体（１）は、前記塊状食品（Ｆ）のほぼ全体を収容し得る深さを有し、
前記側周壁（２）に、該側周壁（２）の上端から帯状片（６２）を螺旋状に連続して引き裂き得る引裂加工部（６）を形成しているとともに、
該引裂加工部（６）の終端側を、前記容器本体（１）の底面から１５mm〜２０mmの高さ位置において同高さの環状に形成している、
ことを特徴とする塊状食品用の個食容器。
【発明の詳細な説明】
【０００１】
【発明の属する技術分野】
【０００２】
本願発明は、例えばハンバーガーやコロッケ等のそのまま食べられる塊状食品の単品を収容するための塊状食品用の個食容器に関するものである。
【発明の背景】
【０００３】
ファーストフード店で例えばハンバーガーやホットドッグのような塊状食品を購入すると、該塊状食品は包材で包んで提供される。そして、購入した塊状食品を食べるには、該塊状食品を包材から取り出し、その塊状食品を直接手に持って喫食する場合がほとんどである。
【０００４】
又、最近では、コロッケやミンチカツのような塊状食品も、食事の“おかず”ではなくスナック類として単品で簡易に食されるようになってきている。
【発明が解決しようとする課題】
【０００５】
ところで、ハンバーガーやホットドッグのような塊状食品を包材から取り出して直接手に持つと、衛生面で好ましくない。又、該塊状食品を直接手に持って食べるときには、塊状食品に添加されているソース類が手や衣服に付着して汚れることがある。尚、コロッケやミンチカツのような塊状食品でも、直接手に持つと、衛生面で好ましくないとともに、手や衣服が油等で汚れ、携帯に不便である。
【０００６】
本願発明は、上記問題点に鑑み、スナック類のように簡易に食べられる塊状食品を包材（容器）に入れたままで食することができるようにした塊状食品用の個食容器を提供することを目的としている。
【課題を解決するための手段】
【０００７】
本願発明は、上記課題を解決するための手段として次の構成を有している。尚、本願発明は、例えばハンバーガーやコロッケ等のそのまま食べられる塊状食品の単品を収容し得るシート材製の個食容器を対象にしている。
【０００８】
本願発明の個食容器は、例えば紙（厚紙や薄紙）あるいはプラスチック等のシート材を容器状に成形したものである。そして、この個食容器には、側周壁と底壁とを有し上部に塊状食品の挿入用開口を設けた容器本体を用いている。又、該容器本体は、塊状食品のほぼ全体を収容し得る深さを有している。尚、容器本体の大きさ・形状は、内部に収容される塊状食品の大きさ・形状等に応じて適宜に設計される。
【０００９】
そして、本願発明の個食容器には、側周壁に、該側周壁の上端から帯状片を螺旋状に連続して引き裂き得る引裂加工部を形成している。この引裂加工部は、１本の切断用のミシン目を例えば１０〜２０mmの高さ幅をもって螺旋状に形成したものを採用できる。又、この引裂加工部の終端側は、容器本体の底面から１５mm〜２０mmの高さ位置において同高さの環状に形成している。
【００１０】
本願発明の塊状食品用の個食容器は、ハンバーガーやコロッケ等の塊状食品を販売する際に、該塊状食品（単品）を収容するのに使用される。尚、塊状食品を容器本体内に収容するには、該塊状食品を上部開口から挿入すればよい。容器本体内に塊状食品（単品）を収容した状態では、該塊状食品がほぼ完全に包装されており、内部の塊状食品に手や外部の物品が直接、接触することがない。
【００１１】
そして、この個食容器に収容した塊状食品を食するときには、側周壁に形成している螺旋状の引裂加工部を側周壁の上端部から引き裂いて、帯状片を適宜周回分だけ切り裂く。すると、塊状食品の下半部が下部側の残余容器内に収容された状態で、該塊状食品の上半部が残余容器上に露出し、その塊状食品の上部露出部分をかぶりついて食することができる。又、塊状食品の上半部をある程度食すると、帯状片をさらに所定周回分引き裂いて残りの塊状食品の上部を露出させ、残余容器を持って残りの塊状食品を食すことができる。さらに、該引裂加工部を最終段階まで引き裂くと、底面から１０mm〜１５mmの高さ位置で同高さの残余容器が残り、該残余容器内に塊状食品の下端付近を収容したままで該残余容器の外面を保持する（つまむ）ことができる。
【発明の実施の形態】
【００１２】
図１〜図５を参照して本願実施形態の塊状食品用の個食容器を説明すると、この実施形態の個食容器は、そのまま食べられる塊状食品Ｆの単品を収容するものである。又、この実施形態では、個食容器内に収容する塊状食品Ｆとしてコロッケを採用しているが、この個食容器は、コロッケのほかにミンチカツ、ハンバーガー、ホットドッグ等にも採用可能であり、用途に合った大きさ・形状のものを成形できる。
【００１３】
この実施形態の個食容器は、厚紙製で、側周壁２と底壁３を有し、上部に塊状食品Ｆを挿入するための開口４を設けた箱状の容器本体１を用いている。尚、他の実施形態では、容器本体１のシート材として、薄紙やプラスチックシートも使用できる。
【００１４】
この容器本体１は、図３に示すように１枚もののシート材を所定形状にプレス裁断したものを組立てて箱状に成形される。尚、図３に一点鎖線で表示した線は折り目加工部である。
【００１５】
容器本体１の側周壁２は、前壁２１と後壁２２と左右の各側壁２３，２４により、平面視で長方形の筒状に形成されている。尚、この側周壁２は、一方の側壁２４部分において糊代片２５を接着させて筒状に成形されている。
【００１６】
底壁３は、図２及び図３に示すように、前壁２１及び後壁２２の各下端部にそれぞれ連続する各底片３１，３２を重ね合わせて形成されている。この底壁３は、一方の底片３１の差し込み片３３を他方の底片３２のスリット状切り込み線３４に差し込んで保形性を維持させている。
【００１７】
この容器本体１内には、左右幅が６５〜７０mm程度、深さが８０〜９０mm程度、奥行き幅が２０〜２４mm程度の大きさの空所（収容室）を有している。この容器本体１内の空所は、そこに収容される塊状食品Ｆの外形よりやや大きい程度に設計されており、塊状食品Ｆの全体をほぼ過不足なく収容し得るようになっている。尚、容器本体１の各寸法は、塊状食品Ｆとして一般的な大きさのコロッケに適合させて設計したもので、塊状食品Ｆの種類や大きさによって設計変更できることは勿論である。
【００１８】
側周壁２には、該側周壁の上端から帯状片６２を螺旋状に連続して引き裂き得る引裂加工部６を形成している。この実施形態の引裂加工部６は、１本のミシン目状切り込み線（以下、単にミシン目線という）を螺旋状に形成したものを採用している。この螺旋状ミシン目線で切り裂かれる帯状片６２は、１０〜２０mm程度の幅が適当である。
【００１９】
この引裂加工部６の始端部６ａには、帯状片６２の始端部を取出すための補助ミシン目線６１が形成されている。この補助ミシン目線６１は、引裂加工部６の始端部６ａから側周壁２の上縁に向けて形成されており、該補助ミシン目線６１を引き裂くことにより、帯状片６２の始端部を容易に取出すことができるようにしている。又、引裂加工部６の終端側は、符号６ｂで示すように容器本体１の底面から１５mm〜２０mmの高さ位置において同高さの環状に形成しており、螺旋状ミシン目線に沿って帯状片６２を最後まで切除したときに、図５に示すように小深さの容器１Ｂが残るようにしている。
【００２０】
この実施形態の個食容器は、塊状食品Ｆを販売する際に、図１及び図２に示すように１個の塊状食品Ｆを収容した状態で提供される。このように、容器本体１内に塊状食品Ｆ（単品）を収容した状態では、該塊状食品Ｆのほぼ全体が包装されている。従って、内部の塊状食品Ｆに手や外部の物品が直接、接触することがなくなって、衛生面で良好となる。又、内部の塊状食品Ｆは、容器本体１の開口４から見えるので内容確認が容易である。
【００２１】
この個食容器に収容した塊状食品Ｆを食するときには、容器本体１の下半部を保持した状態で、引裂加工部６をその始端部６ａから引き裂いて、図１に鎖線図示（符号６２′）するように帯状片６２をその始端部から切り裂いていき、その帯状片６２を例えば図４に示すように側周壁２を約半分程度の高さまで剥がす。すると、図４に示すように、塊状食品Ｆの下半部Ｆａが残余容器１Ａ内に収容された状態で該塊状食品Ｆの上半部Ｆｂが露出し、残余容器１Ａを対向側面から指で摘まめば、両側壁２１，２２を介して塊状食品Ｆを挟持でき、塊状食品Ｆに手を触れることなく該塊状食品Ｆを保持できる。そして、図４の状態で残余容器１Ａを持って、塊状食品Ｆの上部露出部分Ｆｂをかぶりつくことで食することができる。尚、塊状食品Ｆが食する前の原形状態（大きい状態）では、残余容器１Ａの高さが、例えば図４に示すようにある程度まで高い方が塊状食品Ｆを安定して収容できる（塊状食品Ｆが残余容器１Ａから不用意にこぼれ落ちない）。
【００２２】
又、図４の状態で、塊状食品Ｆの上半部Ｆｂを食すると、帯状片６２をさらに所定周回分引き裂いて、図５に示すように残りの塊状食品の上部を露出させ、残余容器１Ｂを持って残りの塊状食品を食すことができる。尚、このとき、残余容器１Ｂは、底面から１０mm〜１５mmの高さ位置で同高さの容器状態となっている。
【発明の効果】
【００２３】
本願発明は、そのまま食べられる塊状食品Ｆの単品を収容し得るシート材製の個食容器であって、塊状食品Ｆのほぼ全体を収容し得る深さを有し、側周壁２に、該側周壁２の上端から帯状片６２を螺旋状に連続して引き裂き得る引裂加工部６を形成しているとともに、該引裂加工部６の終端側を、容器本体１の底面から１０mm〜１５mmの高さ位置において同高さの環状に形成している。
【００２４】
従って、本願発明の個食容器には、次のような効果がある。
(1) 販売時に塊状食品Ｆを容器本体１内に収容した状態では、該塊状食品Ｆのほぼ全体が容器本体１で包装されているので、内部の塊状食品Ｆに手や外部の物品が直接、接触することがなく、衛生的で汚れない。
(2) 内部に収容した塊状食品Ｆは、容器本体１の開口４から見えるので内容確認が容易である。
(3) 上記(1)のように、塊状食品Ｆの全体が包装されているものであっても、内部の塊状食品Ｆを食べるときに、引裂加工部６を引き裂いて帯状片６２を必要長さ（側周壁２の所定高さ）だけ切り裂くことにより、塊状食品Ｆの上半部Ｆｂを露出させることができる。従って、残余容器１Ａを持って（塊状食品Ｆに直接、手を触れないで）塊状食品Ｆを食べることができるので、衛生面で良好となるとともに手や衣服が汚れない（塊状食品Ｆのソース類や油が付着しない）。
(4) 容器本体１内の塊状食品Ｆを食べる際に、帯状片６２を必要長さ（側周壁２の所定高さ）づつ切り裂くことができ、塊状食品入り容器の持ち易さと塊状食品の食べ易さとを加味しながら、側周壁２を順次剥がしていくことができる。即ち、側周壁２を塊状食品の喫食量に見合う高さづつ剥がしていくことができるので、塊状食品入り容器の持ち易さ、車中やアウトドアにおける携帯性および塊状食品の食べ易さとを満足させながら該塊状食品を食べることができる。
(5) 引裂加工部６の終端側を、符号６ｂで示すように容器本体１の底面から１０mm〜１５mmの高さ位置において同高さの環状に形成しているので、該引裂加工部６を最終段階まで引き裂いたときに、所定小高さで同高さの残余容器１Ｂ（図５参照）が残り、該残余容器１Ｂ内に塊状食品の下端付近を収容したままで該残余容器１Ｂの対向する両側面を保持する（つまむ）ことができる。
【図面の簡単な説明】
【図１】  本願実施形態の個食容器の斜視図である。
【図２】  図１のII−II断面図である。
【図３】  図１の個食容器の材料展開図である。
【図４】  図１の個食容器における内部の塊状食品を食べるときの説明図である。
【図５】  図４からの状態変化図である。
【符号の説明】
１は容器本体、２は側周壁、３は底壁、４は開口、６は引裂加工部、６２は帯状片、Ｆは塊状食品である。
【図１】
0004842465.tif 000002
【図２】
0004842465.tif 000003
【図３】
0004842465.tif 000004
【図４】
0004842465.tif 000005
【図５】
0004842465.tif 000006